(57)【要約】  小型でありながらも、諸収差が良好に補正された、広角でＦ値の明るい５枚構成の撮像レンズ及びそれを用いた撮像装置並びに携帯端末を提供する。第５レンズの像側面は非球面形状であり、光軸との交点以外の位置に変曲点を有し、以下の条件式を満足する。  −５．０＜（ｒ１＋ｒ２）／（ｒ１−ｒ２）≦−１．０      （１）  ０．９０＜ｆ１／ｆ＜１．７０      （２）  ０．３５＜ΣＤＬ１３／ｆ＜０．５５      （３）ただし、ｒ１：第１レンズ物体側面の曲率半径ｒ２：第１レンズ像側面の曲率半径ｆ１：第１レンズの焦点距離ｆ：撮像レンズ全系の焦点距離ΣＤＬ１３：第１レンズ物体側面から第３レンズ像側面までの光軸上の距離
2013039035.tif 000002
【特許請求の範囲】
【請求項１】
固体撮像素子の光電変換部に被写体像を結像させるための撮像レンズであって、物体側より順に、
正の屈折力を有し物体側に凸面を向けた第１レンズと、
負の屈折力を有する第２レンズと、
少なくとも片面に非球面形状を有する第３レンズと、
正の屈折力を有し像側に凸面を向けた第４レンズと、
負の屈折力を有し両凹形状の第５レンズと、からなり、
前記第５レンズの像側面は非球面形状であり、光軸との交点以外の位置に変曲点を有し、以下の条件式を満足することを特徴とする撮像レンズ。
−５．０＜（ｒ１＋ｒ２）／（ｒ１−ｒ２）≦−１．０      （１）
０．９０＜ｆ１／ｆ＜１．７０      （２）
０．３５＜ΣＤＬ１３／ｆ＜０．５５      （３）
ただし、
ｒ１：前記第１レンズ物体側面の曲率半径
ｒ２：前記第１レンズ像側面の曲率半径
ｆ１：前記第１レンズの焦点距離
ｆ：前記撮像レンズ全系の焦点距離
ΣＤＬ１３：前記第１レンズ物体側面から前記第３レンズ像側面までの光軸上の距離
【請求項２】
固体撮像素子の光電変換部に被写体像を結像させるための撮像レンズであって、物体側より順に、
正の屈折力を有し物体側に凸面を向けた第１レンズと、
負の屈折力を有する第２レンズと、
正の屈折力を有する第３レンズと、
正の屈折力を有し像側に凸面を向けた第４レンズと、
負の屈折力を有し像側に凹面を向けた第５レンズと、からなり、
前記第５レンズの像側面は非球面形状であり、光軸との交点以外の位置に変曲点を有し、以下の条件式を満足することを特徴とする撮像レンズ。
０．０５＜｜Ｐ２｜／Ｐ＜０．５５      （４）
ただし、
Ｐ２：前記第２レンズの屈折力
Ｐ：前記撮像レンズ全系の屈折力
【請求項３】
以下の条件式を満足することを特徴とする請求項１〜２のいずれか１項に記載の撮像レンズ。
０．３５＜ｆ４／ｆ＜１．００      （５）
ただし、
ｆ４：前記第４レンズの焦点距離
ｆ：前記撮像レンズ全系の焦点距離
【請求項４】
以下の条件式を満足することを特徴とする請求項１〜３のいずれか１項に記載の撮像レンズ。
−０．７０＜ｆ５／ｆ＜−０．２５      （６）
ただし、
ｆ５：前記第５レンズの焦点距離
ｆ：前記撮像レンズ全系の焦点距離
【請求項５】
以下の条件式を満足することを特徴とする請求項１〜４のいずれか１項に記載の撮像レンズ。
２０＜ν１−ν２＜７０      （７）
ただし、
ν１：前記第１レンズのアッベ数
ν２：前記第２レンズのアッベ数
【請求項６】
以下の条件式を満足することを特徴とする請求項１〜５のいずれか１項に記載の撮像レンズ。
１．６０＜ｎ２＜２．１０      （８）
ただし、
ｎ２：前記第２レンズのｄ線に対する屈折率
【請求項７】
以下の条件式を満足することを特徴とする請求項１〜６のいずれか１項に記載の撮像レンズ。
０．０２＜ｄＬ２／ｆ＜０．１１      （９）
ただし、
ｄＬ２：前記第２レンズの光軸上の厚み
ｆ：前記撮像レンズ全系の焦点距離 
【請求項８】
以下の条件式を満足することを特徴とする請求項１〜７のいずれか１項に記載の撮像レンズ。
０．０４＜ｄＬ５／ｆ＜０．２０      （１０）
ただし、
ｄＬ５：前記第５レンズの光軸上の厚み
ｆ：前記撮像レンズ全系の焦点距離
【請求項９】
以下の条件式を満足することを特徴とする請求項１〜８のいずれか１項に記載の撮像レンズ。
２．５０＜ＴＨＬ５ｍ／ｄＬ５＜６．５０      （１１）
ただし、
ＴＨＬ５ｍ：前記第５レンズの光軸方向の最大厚み
ｄＬ５：前記第５レンズの光軸上の厚み
【請求項１０】
前記第３レンズは正の屈折力を有することを特徴とする請求項１に記載の撮像レンズ。
【請求項１１】
前記第４レンズの最周辺部は光線を上方へ跳ね上げる発散作用を有することを特徴とする請求項１〜１０のいずれか１項に記載の撮像レンズ。
【請求項１２】
撮像レンズ群の最も物体側に開口絞りを配置したことを特徴とする請求項１〜１１のいずれか１項に記載の撮像レンズ。
【請求項１３】
前記第１レンズと前記第２レンズの間に開口絞りを配置したことを特徴とする請求項１〜１１のいずれか１項に記載の撮像レンズ。
【請求項１４】
実質的に屈折力を有しないレンズを有することを特徴とする請求項１〜１３のいずれか１項に記載の撮像レンズ。
【請求項１５】
被写体像を光電変換する固体撮像素子と、請求項１〜１４のいずれか１項に記載の撮像レンズを備えたことを特徴とする撮像装置。
【請求項１６】
請求項１５に記載の撮像装置を備えたことを特徴とする携帯端末。
【請求項１７】
撮像素子の撮像面に被写体像を結像させるための撮像レンズであって、物体側より順に、
正の屈折力を有し物体側に凸面を向けた第１レンズと、
負の屈折力を有する第２レンズと、
正の屈折力を有する第３レンズと、
正の屈折力を有し像側に凸面を向けた第４レンズと、
負の屈折力を有し両凹形状の第５レンズと、からなり、
前記第５レンズの像側面が非球面形状であり、かつ、光軸との交点以外の位置に変曲点を有し、以下の条件式（１３）及び（１４）を満足することを特徴とする撮像レンズ。
１．８＜ｆ３／ｆ＜１０．０  …（１３）
−５．０＜ｆ２／ｆ３＜−０．７０  …（１４）
ただし、
ｆ：撮像レンズ全系の焦点距離
ｆ２：第２レンズの焦点距離
ｆ３：第３レンズの焦点距離
【請求項１８】
以下の条件式（１５）を満足することを特徴とする請求項１７に記載の撮像レンズ。
１．２＜ｆ１／ｆ４＜４．０  …（１５）
ただし、
ｆ１：第１レンズの焦点距離
ｆ４：第４レンズの焦点距離
【請求項１９】
以下の条件式（１６）を満足することを特徴とする請求項１７又は１８に記載の撮像レンズ。
０．１５＜Ｄ２＿３／Ｄ３＿４＜０．８５  …（１６）
ただし、
Ｄ２＿３：第２レンズと第３レンズとの間の光軸上空気間隔
Ｄ３＿４：第３レンズと第４レンズとの間の光軸上空気間隔
【請求項２０】
以下の条件式（１７）を満足することを特徴とする請求項１７〜１９のいずれか１項に記載の撮像レンズ。
−２５＜ｆ２／ｆ４＜−３  …（１７）
ただし、
ｆ２：第２レンズの焦点距離
ｆ４：第４レンズの焦点距離
【請求項２１】
前記第１レンズの像側面が負のパワーを有することを特徴とする請求項１７〜２０のいずれか１項に記載の撮像レンズ。
【請求項２２】
以下の条件式（１８）を満足することを特徴とする請求項１７〜２１のいずれか１項に記載の撮像レンズ。
２０＜ν１−ν２＜７０  …（１８）
ただし、
ν１：第１レンズのアッベ数
ν２：第２レンズのアッベ数
【請求項２３】
以下の条件式（１９）を満足することを特徴とする請求項１７〜２２のいずれか１項に記載の撮像レンズ。
１．６０＜ｎ２＜２．１０  …（１９）
ただし、
ｎ２：第２レンズのｄ線に対する屈折率
【請求項２４】
前記第４レンズの最周辺部は、光線を上方へ跳ね上げる発散作用を有することを特徴とする請求項１７〜２３のいずれか１項に記載の撮像レンズ。
【請求項２５】
前記第２レンズの像側面は、光軸との交点から周辺部に移動するに従って、負のパワーが強くなることを特徴とする請求項１７〜２４のいずれか１項に記載の撮像レンズ。
【請求項２６】
請求項１７〜２５のいずれか１項に記載の撮像レンズと、撮像面上に形成された光学像を電気的な信号に変換する撮像素子と、を備え、前記撮像素子の撮像面上に被写体の光学像が形成されるように前記撮像レンズが設けられていることを特徴とする撮像装置。
【請求項２７】
請求項２６に記載の撮像装置を備えることにより、被写体の静止画撮影，動画撮影のうちの少なくとも一方の機能が付加されたことを特徴とするデジタル機器。
【請求項２８】
携帯端末であることを特徴とする請求項２７に記載のデジタル機器。
【発明の詳細な説明】
【技術分野】
【０００１】
本発明は、ＣＣＤ型イメージセンサあるいはＣＭＯＳ型イメージセンサ等の固体撮像素子を用いた小型の撮像装置に好適な撮像レンズ、撮像装置およびこれを備える携帯端末等のデジタル機器に関する。
【背景技術】
【０００２】
近年、CCD（Charge Coupled Device）型イメージセンサあるいはCMOS（Complementary Metal Oxide Semiconductor）型イメージセンサ等の固体撮像素子を用いた撮像装置が搭載された携帯端末の普及の増大に伴い、より高画質の画像が得られるよう、画素数の大きな撮像素子を使用した撮像装置が搭載されたものが市場に供給されるようになってきた。従来の画素数の大きな撮像素子は、大型化をともなっていたが、近年、画素の高細化が進み、撮像素子が小型化されるようになってきた。高細化された撮像素子に使用される撮像レンズには、高細化された画素に対応するために高い解像力が要求される。これに対し、レンズの解像力はＦ値により限界があり、Ｆ値の小さい明るいレンズの方が高解像力を得られるため、明るい撮像レンズが要求されている。【０００３】
一方、撮像装置の更なる小型化をするためにも撮像レンズの全長もさらに小さくすることが要求されている。撮像レンズは、パワー（屈折力）配置や、レンズの厚みや空気間隔の工夫で小型化することには限界があり、近年、撮像レンズの焦点距離を短くした広角レンズを用いることで、光学系の全長を小さくする試みがされようになってきた。このような用途の撮像レンズとしては、３枚あるいは４枚構成のレンズに比べ高性能化が可能であると言うことから、５枚構成の撮像レンズが提案されている（例えば、特許文献１〜４参照）。
【先行技術文献】
【特許文献】
【０００４】
【特許文献１】特開２０１１−９５５１３号公報
【特許文献２】特開２０１１−１４１３９６号公報
【特許文献３】特開２０１０−２６２２７０号公報
【特許文献４】米国特許出願公開第２０１１／０１８８１３１号明細書
【発明の開示】
【発明が解決しようとする課題】
【０００５】
しかしながら、上記特許文献１に記載の撮像レンズは、バックフォーカスが長く、撮像レンズ全長の増大につながっている。また、Ｆ値もＦ３程度と暗く、最大画角も７０度程度と大口径化、広角化の要求には向かない。さらにレンズ全長の短縮化、大口径化、広角化を行おうとすると、性能の劣化が起こることが予想され、撮像素子の高画素化への対応が困難となる問題がある。【０００６】
また、上記特許文献２に記載の撮像レンズは、Ｆ値がＦ２程度の大口径化は達成できているものの、最大画角が６０度程度と小さく、撮像レンズ全長も十分小型とは言いがたい。また、開口絞りが第２レンズと第３レンズの間に配置されているため、これ以上全長を小さくしようとした場合、射出瞳位置をさらに物体側へ位置させることが困難で、テレセントリック特性の大きな悪化を招くこととなる。【０００７】
また、上記特許文献３に記載の撮像レンズでは、第２レンズのパワーが第３レンズのパワーに対して相対的に強くなっており、さらなる全長短縮を試みた場合に、第２レンズで発生するコマ収差や非点収差を補正することが困難となる。また、上記特許文献４に記載の撮像レンズでは、第２レンズに近接する第３レンズのパワーが全系の焦点距離に対して相対的に強くなっており、第２レンズで発散させた光束が、第３レンズで収束されるため、第４レンズ以降のレンズで各光束に適したパワーを与えられず、コマ収差、非点収差の補正が困難となる。【０００８】
本発明は、このような問題点に鑑みてなされたものであり、小型でありながらも、諸収差が良好に補正された、広角でＦ値の明るい５枚構成の撮像レンズ及びそれを用いた撮像装置並びに携帯端末等のデジタル機器を提供することを目的とする。【０００９】
ここで、小型の撮像レンズの尺度であるが、本発明では下式を満たすレベルの小型化を目指している。この範囲を満たすことで、撮像装置全体の小型軽量化が可能となる。
Ｌ／２Ｙ＜０．８０      （１２）
ただし、
Ｌ：撮像レンズ全系の最も物体側のレンズ面から像側焦点までの光軸上の距離
２Ｙ：固体撮像素子の撮像面対角線長（固体撮像素子の矩形実効画素領域の対角線長）
ここで、像側焦点とは撮像レンズに光軸と平行な平行光線が入射した場合の像点をいう。【００１０】
なお、撮像レンズの最も像側の面と像側焦点位置との間に、光学的ローパスフィルタ、赤外線カットフィルタ、または固体撮像素子パッケージのシールガラス等の平行平板が配置される場合には、平行平板部分は空気換算距離としたうえで上記Ｌの値を計算するものとする。また、より望ましくは下式の範囲が良い。
Ｌ／２Ｙ＜０．７０      （１２）’【００１１】
また、近年急速にスマートフォンやタブレット端末が普及してきており、それに搭載される撮像装置にもより一層の小型化の要求が高まってきている。そこで、上記（１２）式を満足した撮像レンズを搭載した撮像装置としては、高さ５．０ｍｍ以下、より望ましくは高さ４．５ｍｍ以下を目指している。
【課題を解決するための手段】
【００１２】
請求項１に記載の撮像レンズは、固体撮像素子の光電変換部に被写体像を結像させるための撮像レンズであって、物体側より順に、
正の屈折力を有し物体側に凸面を向けた第１レンズと、
負の屈折力を有する第２レンズと、
少なくとも片面に非球面形状を有する第３レンズと、
正の屈折力を有し像側に凸面を向けた第４レンズと、
負の屈折力を有し両凹形状の第５レンズと、からなり、
前記第５レンズの像側面は非球面形状であり、光軸との交点以外の位置に変曲点を有し、以下の条件式を満足することを特徴とする。
−５．０＜（ｒ１＋ｒ２）／（ｒ１−ｒ２）≦−１．０      （１）
０．９０＜ｆ１／ｆ＜１．７０      （２）
０．３５＜ΣＤＬ１３／ｆ＜０．５５      （３）
ただし、
ｒ１：前記第１レンズ物体側面の曲率半径
ｒ２：前記第１レンズ像側面の曲率半径
ｆ１：前記第１レンズの焦点距離
ｆ：前記撮像レンズ全系の焦点距離
ΣＤＬ１３：前記第１レンズ物体側面から前記第３レンズ像側面までの光軸上の距離【００１３】
小型で収差の良好に補正された広角でＦ値の明るい撮像レンズを得るための、本発明の基本構成は、正の屈折力を有し物体側に凸面を向けた第１レンズ、負の屈折力を有する第２レンズ、少なくとも片面に非球面形状を有する第３レンズ、正の屈折力を有し像側に凸面を向けた第４レンズ、負の屈折力を有し両凹形状の第５レンズ、からなる。物体側より順に、第１レンズ、第２レンズ、第３レンズ、第４レンズからなる正レンズ群と、負の第５レンズを配置する、いわゆるテレフォトタイプのこのレンズ構成は、撮像レンズ全長の小型化には有利な構成である。【００１４】
さらに、５枚構成のうち２枚以上を負レンズとすることで、発散作用を有する面を多くしてペッツバール和の補正を容易とし、画面周辺部まで良好な結像性能を確保した撮像レンズを得ることが可能となる。また、第５レンズを両凹形状とすることで、第５レンズの負の屈折力を強く設定することができ、上述のテレフォトタイプの全長短縮効果をより高めることができる。【００１５】
また、最も像側に配置された第５レンズの像側面を非球面とすることで、画面周辺部での諸収差を良好に補正することができる。さらに、光軸との交点以外の位置に変曲点を有する非球面形状とすることで、像側光束のテレセントリック特性が確保しやすくなる。ここで、「変曲点」とは有効半径内でのレンズ断面形状の曲線において、非球面頂点の接平面が光軸と垂直な平面となるような非球面上の点のことである。【００１６】
条件式（１）は第１レンズの形状を適切に設定し、撮像レンズ全長の短縮化と、第１レンズで発生するコマ収差の抑制を両立するための条件式である。より具体的には、条件式（１）は第１レンズの形状を表す、所謂シェーピングファクターを規定しており、条件式の範囲で第１レンズは、平凸レンズから物体側に凸面を向けたメニスカス形状の範囲に設定される。条件式（１）の値が上限を下回ることで、第１レンズがメニスカス形状となるため、撮像レンズ全系の主点位置をより物体側へ寄せることができるようになるため、撮像レンズ全長の短縮化を行うことができる。但し、条件式（１）の値は上限と等しくても良い。一方、条件式（１）の値が下限を上回ることで、第１レンズ物体側面の曲率半径が小さくなりすぎず、画角が大きくついた周辺光に対するコマ収差を小さく抑えることができる。【００１７】
また、条件式（２）の値が下限を上回ることで第１レンズの焦点距離が短くなりすぎず、レトロフォーカスタイプに近い構成になり、入射画角を確保し易くなり、撮像レンズの広角化が可能になる。さらに、球面収差の発生を抑えることができるので、大口径化が可能になる。一方、条件式（２）の値が上限を下回ることで、第１レンズの焦点距離が長くなり過ぎるのを抑え、撮像レンズの主点位置が物体側に配置できるので、撮像レンズの小型化が容易になる。【００１８】
また、条件式（３）の値が下限を上回ることで、第１レンズから第３レンズまでの光軸上の距離を適度に長く取ることができ、各レンズ間に遮光部材を挿入するためのクリアランスを充分に取ることができ、ゴーストやフレア光といった不要光を低減でき、画質向上につながる。また、各レンズが薄くなりすぎ成形性を損なうことがなくなる。一方、条件式（３）の値が上限を下回ることで、色収差補正に重要な負の第２レンズを、より光線高さの高い物体側へ配置することができるため、全系の色収差を良好に補正することができるようになる。【００１９】
また、条件式（１）から（３）までは、より望ましくは下式の範囲がよい。
−４．５＜（ｒ１＋ｒ２）／（ｒ１−ｒ２）＜−１．５      （１）’
１．００＜ｆ１／ｆ＜１．６０      （２）’
０．４０＜ΣＤＬ１３／ｆ＜０．５５      （３）’【００２０】
請求項２に記載の撮像レンズは、固体撮像素子の光電変換部に被写体像を結像させるための撮像レンズであって、物体側より順に、
正の屈折力を有し物体側に凸面を向けた第１レンズと、
負の屈折力を有する第２レンズと、
正の屈折力を有する第３レンズと、
正の屈折力を有し像側に凸面を向けた第４レンズと、
負の屈折力を有し像側に凹面を向けた第５レンズと、からなり、
前記第５レンズの像側面は非球面形状であり、光軸との交点以外の位置に変曲点を有し、以下の条件式を満足することを特徴とする。
０．０５＜｜Ｐ２｜／Ｐ＜０．５５      （４）
ただし、
Ｐ２：前記第２レンズの屈折力
Ｐ：前記撮像レンズ全系の屈折力
なお、この出願において屈折力は、焦点距離の逆数を意味する。【００２１】
小型で収差の良好に補正された広角でＦ値の明るい撮像レンズを得るための、本発明の基本構成は、正の屈折力を有し物体側に凸面を向けた第１レンズ、負の屈折力を有する第２レンズ、正の屈折力を有する第３レンズ、正の屈折力を有し像側に凸面を向けた第４レンズ、負の屈折力を有し像側に凹面を向けた第５レンズ、からなる。物体側より順に、第１レンズ、第２レンズ、第３レンズ、第４レンズからなる正レンズ群と、負の第５レンズを配置する、いわゆるテレフォトタイプのこのレンズ構成は、撮像レンズ全長の小型化には有利な構成である。【００２２】
さらに、５枚構成のうち２枚を負レンズとすることで、発散作用を有する面を多くしてペッツバール和の補正を容易とし、画面周辺部まで良好な結像性能を確保した撮像レンズを得ることが可能となる。また、第３レンズを正レンズとすることで、第１レンズから第３レンズまでを、正負正の順に配置される、いわゆるトリプレットタイプとすることで、前玉系での収差補正を良好に行うことができる。【００２３】
また、最も像側に配置された第５レンズの像側面を非球面とすることで、画面周辺部での諸収差を良好に補正することができる。さらに、光軸との交点以外の位置に変曲点を有する非球面形状とすることで、像側光束のテレセントリック特性が確保しやすくなる。ここで、「変曲点」とは有効半径内でのレンズ断面形状の曲線において、非球面頂点の接平面が光軸と垂直な平面となるような非球面上の点のことである。【００２４】
条件式（４）は第２レンズの屈折力を適切に設定して、広角化と高性能化を達成するための条件式である。条件式（４）の値が上限を下回ることで、第２レンズの負の屈折力が強くなりすぎて、撮像レンズの主点位置が像側に配意されるのを防ぐことができ、良好なテレセントリック特性を得ることができる。さらに、球面収差やコマ収差の発生を抑えることができ、高性能化が図れる。一方、条件式（４）の値が下限を上回ることで、第２レンズの負の屈折力を適度に維持することができ、撮像レンズ全体において、比較的物体側に負の屈折力を配置でき、広角化を達成できる。また、より望ましくは下式の範囲がよい。
０．０５＜｜Ｐ２｜／Ｐ＜０．５０      （４）’【００２５】
請求項３に記載の撮像レンズは、請求項１又は２に記載の発明において、以下の条件式を満足することを特徴とする。
０．３５＜ｆ４／ｆ＜１．００      （５）
ただし、
ｆ４：前記第４レンズの焦点距離
ｆ：前記撮像レンズ全系の焦点距離【００２６】
条件式（５）は第４レンズの焦点距離を適切に設定するための条件式である。条件式（５）の値が下限を上回ることで、第４レンズの焦点距離が小さくなりすぎず、高次の球面収差やコマ収差の発生を抑えることができる。一方、条件式（５）の値が上限を下回ることで、第４レンズの焦点距離を適度に維持することができ、撮像レンズ全長の短縮化を達成することができる。また、より望ましくは下式の範囲がよい。
０．４０＜ｆ４／ｆ＜０．９０      （５）’【００２７】
請求項４に記載の撮像レンズは、請求項１〜３のいずれかに記載の発明において、以下の条件式を満足することを特徴とする。
−０．７０＜ｆ５／ｆ＜−０．２５      （６）
ただし、
ｆ５：前記第５レンズの焦点距離
ｆ：前記撮像レンズ全系の焦点距離【００２８】
条件式（６）は第５レンズの焦点距離を適切に設定するための条件式である。条件式（６）の値が上限を下回ることで、第５レンズの負の焦点距離が必要以上に小さくなりすぎず、固体撮像素子の撮像面周辺部に結像する光束が過度に跳ね上げられることがなくなり、像側光束のテレセントリック特性の確保を容易にすることができる。一方、条件式（６）の値が下限を上回ることで、第５レンズの負の焦点距離を適度に長くすることができ、レンズ全長の短縮化及び像面湾曲や歪曲収差等の軸外諸収差の補正を良好に行うことができる。また、より望ましくは下式の範囲がよい。
−０．６５＜ｆ５／ｆ＜−０．３０      （６）’【００２９】
請求項５に記載の撮像レンズは、請求項１〜４のいずれかに記載の発明において、以下の条件式を満足することを特徴とする。
２０＜ν１−ν２＜７０      （７）
ただし、
ν１：前記第１レンズのアッベ数
ν２：前記第２レンズのアッベ数【００３０】
条件式（７）は、撮像レンズ全系の色収差を良好に補正するための条件式である。条件式（７）の値が下限を上回ることで、軸上色収差や倍率色収差などの色収差をバランス良く補正することができる。一方、条件式（７）の値が上限を下回ることで、入手しやすい硝材で構成することができる。また、より望ましくは下式の範囲がよい。
２５＜ν１−ν２＜６５      （７）’【００３１】
請求項６に記載の撮像レンズは、請求項１〜５のいずれかに記載の発明において、以下の条件式を満足することを特徴とする。
１．６０＜ｎ２＜２．１０      （８）
ただし、
ｎ２：前記第２レンズのｄ線に対する屈折率【００３２】
条件式（８）は、撮像レンズ全系の色収差、像面湾曲を良好に補正するための条件式である。条件式（８）の値が下限を上回ることで、比較的分散の大きな第２レンズの屈折力を適度に維持することができ、色収差、像面湾曲を良好に補正することができる。一方、条件式（８）の値が上限を下回ることで、入手しやすい硝材で構成することができる。  また、より望ましくは下式の範囲がよい。
１．６０＜ｎ２＜２．００      （８）’【００３３】
請求項７に記載の撮像レンズは、請求項１〜６のいずれかに記載の発明において、以下の条件式を満足することを特徴とする。
０．０２＜ｄＬ２／ｆ＜０．１１      （９）
ただし、
ｄＬ２：前記第２レンズの光軸上の厚み
ｆ：前記撮像レンズ全系の焦点距離【００３４】
条件式（９）は第２レンズの光軸上の厚みを適切に設定するための条件式である。条件式（９）の値が下限を上回ることで、第２レンズの厚みが薄くなりすぎず、成形性を損なわなない。一方、条件式（９）の値が上限を下回ることで、第２レンズの厚みが厚くなりすぎず、Ｌ２前後のレンズ間隔を確保しやすくなり、結果として撮像レンズ全長の短縮化を行うことができる。また、より望ましくは下式の範囲がよい。
０．０３＜ｄＬ２／ｆ＜０．１０      （９）’【００３５】
請求項８に記載の撮像レンズは、請求項１〜７のいずれかに記載の発明において、以下の条件式を満足することを特徴とする。
０．０４＜ｄＬ５／ｆ＜０．２０      （１０）
ただし、
ｄＬ５：前記第５レンズの光軸上の厚み
ｆ：前記撮像レンズ全系の焦点距離【００３６】
条件式（１０）は第５レンズの光軸上の厚みを適切に設定するための条件式である。条件式（１０）の値が下限を上回ることで、第５レンズの厚みが薄くなりすぎず、成形性を損なわなない。一方、条件式（１０）の値が上限を下回ることで、第５レンズの厚みが厚くなりすぎず、バックフォーカスを確保しやすくなる。また、より望ましくは下式の範囲がよい。
０．０６＜ｄＬ５／ｆ＜０．１７      （１０）’【００３７】
請求項９に記載の撮像レンズは、請求項１〜８のいずれかに記載の発明において、以下の条件式を満足することを特徴とする。
２．５０＜ＴＨＬ５ｍ／ｄＬ５＜６．５０      （１１）
ただし、
ＴＨＬ５ｍ：前記第５レンズの光軸方向の最大厚み
ｄＬ５：前記第５レンズの光軸上の厚み【００３８】
条件式（１１）は第５レンズの光軸上の厚みと光軸方向の最大厚みの比、所謂偏肉比を適切に設定するための条件式である。条件式（１１）の値が下限を上回ることで、偏肉比を適度につけることができ、第５レンズの中心付近と周辺部での屈折力の差が適度に付くので、テレセントリック特性を良好にでき、中心付近の色収差補正と周辺部での像面湾曲の補正を両立させることができる。一方、条件式（１１）の値が上限を上回ることで、偏肉比が大きくなりすぎることがなくなり、レンズの成形性を損なわない。また、より望ましくは下式の範囲がよい。
２．８０＜ＴＨＬ５ｍ／ｄＬ５＜６．００      （１１）’【００３９】
請求項１０に記載の撮像レンズは、請求項１に記載の発明において、前記第３レンズは正の屈折力を有することを特徴とする。【００４０】
第３レンズを正の屈折力とすることで、正の屈折力を有する第１レンズ、負の屈折力を有する第２レンズ、正の屈折力を有する第３レンズとなり、所謂トリプレットタイプのレンズ構成となるので、第１レンズから第３レンズまでで良好な収差補正を行うことができる。【００４１】
請求項１１に記載の撮像レンズは、請求項１〜１０のいずれかに記載の発明において、前記第４レンズの最周辺部は光線を上方へ跳ね上げる発散作用を有することを特徴とする。【００４２】
第４レンズの最周辺部が発散作用を有することで、第４レンズの中心付近は正の屈折力を有し撮像レンズの広角化に適した構成としつつ、周辺光束に対しては第２レンズの発散作用を分担することができるので、周辺光のコマ収差、歪曲収差、倍率色収差等の補正を行いながらも広角な撮像レンズを得ることができる。【００４３】
請求項１２に記載の撮像レンズは、請求項１〜１１のいずれかに記載の発明において、撮像レンズ群の最も物体側に開口絞りを配置したことを特徴とする。【００４４】
開口絞りを最も物体側に配置することで、第１レンズの物体側面での屈折角を小さくすることができるので、第１レンズで発生する高次の球面収差やコマ収差の発生を抑えることができる。また、第１レンズを通過する光線高さを小さくすることができるので、第１レンズの縁厚を確保しやすくすることができ、成形性を向上させることが可能となる。特に大口径の光学系では重要な要件である。【００４５】
請求項１３に記載の撮像レンズは、請求項１〜１１のいずれかに記載の発明において、前記第１レンズと前記第２レンズの間に開口絞りを配置したことを特徴とする。【００４６】
第１レンズと第２レンズの間に開口絞りを配置することで、第１レンズ物体側面を通過する周辺マージナル光線の屈折角が大きくなりすぎず、撮像レンズの小型化と良好な収差補正を両立することができる。【００４７】
請求項１４に記載の撮像レンズは、請求項１〜１３のいずれかに記載の発明において実質的に屈折力を有しないレンズを有することを特徴とする。つまり、請求項１の構成に、実質的に屈折力を持たないダミーレンズを付与した場合でも本発明の適用範囲内である。【００４８】
請求項１５に記載の撮像装置は、被写体像を光電変換する固体撮像素子と、請求項１〜１４のいずれか１項に記載の撮像レンズを備えたことを特徴とする。本発明の撮像レンズを用いることで、より小型かつ高性能な撮像装置を得ることができる。【００４９】
請求項１６に記載の携帯端末は、請求項１５に記載の撮像装置を備えたことを特徴とする。本発明の撮像装置を用いることで、より小型かつ高性能な携帯端末を得ることができる。【００５０】
請求項１７に記載の撮像レンズは、撮像素子の撮像面（例えば、固体撮像素子の光電変換部）に被写体像を結像させるための撮像レンズであって、物体側より順に、正の屈折力を有し物体側に凸面を向けた第１レンズと、負の屈折力を有する第２レンズと、正の屈折力を有する第３レンズと、正の屈折力を有し像側に凸面を向けた第４レンズと、負の屈折力を有し両凹形状の第５レンズと、から成り、前記第５レンズの像側面が非球面形状であり、かつ、光軸との交点以外の位置に変曲点を有し、以下の条件式（１３）及び（１４）を満足することを特徴としている。
１．８＜ｆ３／ｆ＜１０．０  …（１３）
−５．０＜ｆ２／ｆ３＜−０．７０  …（１４）
ただし、
ｆ：撮像レンズ全系の焦点距離
ｆ２：第２レンズの焦点距離
ｆ３：第３レンズの焦点距離【００５１】
小型で収差の良好に補正された広角でＦ値の明るい撮像レンズを得るための、本発明の基本構成は、正の屈折力を有し物体側に凸面を向けた第１レンズと、負の屈折力を有する第２レンズと、正の屈折力を有する第３レンズと、正の屈折力を有し像側に凸面を向けた第４レンズと、負の屈折力を有し両凹形状の第５レンズと、から成っている。このレンズ構成は、物体側より順に、第１レンズ，第２レンズ，第３レンズ及び第４レンズから成る正のパワーのレンズ群と、負のパワーの第５レンズと、でいわゆるテレフォトタイプの配置になっているため（パワー：焦点距離の逆数で定義される量）、撮像レンズ全長の小型化には有利な構成である。さらに、５枚構成のうち２枚以上を負レンズとすることで、発散作用を有する面を多くしてペッツバール和の補正を容易とし、画面周辺部まで良好な結像性能を確保した撮像レンズを得ることが可能となる。また、第５レンズを両凹形状とすることで、第５レンズの負の屈折力を強く設定することができ、上述のテレフォトタイプの全長短縮効果をより高めることができる。【００５２】
第４レンズを像側に凸面を向けたメニスカス形状とすることにより、負のパワーを持つ第２レンズで発生するコマ収差が補正しやすくなる。最も像側に配置された第５レンズの像側面を非球面とすることで、画面周辺部での諸収差を良好に補正することができる。さらに、光軸との交点以外の位置に変曲点を有する非球面形状とすることで、像側光束のテレセントリック特性が確保しやすくなる。ここで「変曲点」とは、有効半径内でのレンズ断面形状の曲線において、非球面頂点の接平面が光軸と垂直な平面となるような非球面上の点のことである。【００５３】
条件式（１３）は、第３レンズの焦点距離を適切な範囲に規定することにより、全長短縮と高い像高での性能とを両立するためのものである。条件式（１３）の上限を下回ると、第３レンズの正のパワーを適度に維持することができ、像面湾曲を良好に補正することができる。条件式（１３）の下限を上回ると、第３レンズの正のパワーが強くなりすぎず、コマ収差や非点収差を良好に補正することができる。【００５４】
条件式（１４）は、第２レンズと第３レンズとの焦点距離の関係を規定している。条件式（１４）の値が下限を上回ると、第２レンズのパワーを第３レンズのパワーに対して適度に維持できるため、ペッツバール和の補正を良好に行い像面湾曲を良好に補正できる。条件式（１４）の値が上限を下回ると、第２レンズのパワーが第３レンズのパワーに対して相対的に強くなりすぎず、コマ収差や非点収差を良好に補正できる。また、撮像レンズの主点位置が物体側に配置されることとなり、良好なテレセントリック性を得ることができるようになる。【００５５】
この構成によると、全長を短縮しつつ諸収差が良好に補正された、広角でＦ値の明るい５枚構成の撮像レンズ及びそれを備えた撮像装置を実現することが可能である。そして、その撮像装置を携帯電話，携帯情報端末等のデジタル機器に用いれば、デジタル機器に対し高性能の画像入力機能をコンパクトに付加することが可能となり、そのコンパクト化，高性能化，高機能化等に寄与することができる。こういった効果をバランス良く得るとともに、更に高い光学性能，小型化等を達成するための条件等を以下に説明する。【００５６】
以下の条件式（１３ａ）を満たすことが望ましく、条件式（１３ｂ）を満たすことが更に望ましい。
２．０＜ｆ３／ｆ＜７．０  …（１３ａ）
２．０＜ｆ３／ｆ＜５．０  …（１３ｂ）
これらの条件式（１３ａ），（１３ｂ）は、前記条件式（１３）が規定している条件範囲のなかでも、前記観点等に基づいた更に好ましい条件範囲を規定している。したがって、好ましくは条件式（１３ａ）、更に好ましくは条件式（１３ｂ）を満たすことにより、上記効果をより一層大きくすることができる。【００５７】
以下の条件式（１４ａ）を満たすことが望ましく、条件式（１４ｂ）を満たすことが更に望ましい。
−３．５＜ｆ２／ｆ３＜−０．７５  …（１４ａ）
−３．５＜ｆ２／ｆ３＜−０．８  …（１４ｂ）
これらの条件式（１４ａ），（１４ｂ）は、前記条件式（１４）が規定している条件範囲のなかでも、前記観点等に基づいた更に好ましい条件範囲を規定している。したがって、好ましくは条件式（１４ａ）、更に好ましくは条件式（１４ｂ）を満たすことにより、上記効果をより一層大きくすることができる。【００５８】
請求項１８に記載の撮像レンズは、請求項１７に記載の発明において、以下の条件式（１５）を満足することを特徴とする。
１．２＜ｆ１／ｆ４＜４．０  …（１５）
ただし、
ｆ１：第１レンズの焦点距離
ｆ４：第４レンズの焦点距離【００５９】
光学系の全長を縮めた場合、光軸上と周辺画角とで光学系内での光路長さの差が大きくなることに起因する像面湾曲が課題となる。条件式（１５）は、第１レンズと第４レンズとの焦点距離の比を規定することにより、像面湾曲を適切な範囲に補正するためのものである。条件式（１５）の値が上限を下回ると、オーバー側の像面湾曲を良好に補正でき、条件式（１５）の値が下限を上回ると、アンダー側の像面湾曲を良好に補正できる。【００６０】
以下の条件式（１５ａ）を満足することが更に望ましい。
１．２＜ｆ１／ｆ４＜３．５  …（１５ａ）
この条件式（１５ａ）は、前記条件式（１５）が規定している条件範囲のなかでも、前記観点等に基づいた更に好ましい条件範囲を規定している。したがって、好ましくは条件式（１５ａ）を満たすことにより、上記効果をより一層大きくすることができる。【００６１】
請求項１９に記載の撮像レンズは、請求項１７又は１８に記載の発明において、以下の条件式（１６）を満足することを特徴とする。
０．１５＜Ｄ２＿３／Ｄ３＿４＜０．８５  …（１６）
ただし、
Ｄ２＿３：第２レンズと第３レンズとの間の光軸上空気間隔
Ｄ３＿４：第３レンズと第４レンズとの間の光軸上空気間隔【００６２】
条件式（１６）は、第２レンズの像側面から第３レンズの物側面までの間隔と、第３レンズの像側面から第４レンズの物側面までの間隔と、を規定することにより、異なる画角の光束に対して第３レンズでそれぞれの画角に応じた正のパワーを作用させ、像面湾曲を良好に補正するものである。条件式（１６）の値が下限を上回ると、第２レンズと第３レンズとの間隔が小さくなりすぎず、像面湾曲を良好に補正することができる。条件式（１６）の値が上限を下回ると、第２レンズと第３レンズとの間隔が大きくなりすぎず、コマ収差を良好に補正することができる。【００６３】
以下の条件式（１６ａ）を満たすことが望ましく、条件式（１６ｂ）を満たすことが更に望ましい。
０．１８＜Ｄ２＿３／Ｄ３＿４＜０．８０  …（１６ａ）
０．２０＜Ｄ２＿３／Ｄ３＿４＜０．７５  …（１６ｂ）
これらの条件式（１６ａ），（１６ｂ）は、前記条件式（１６）が規定している条件範囲のなかでも、前記観点等に基づいた更に好ましい条件範囲を規定している。したがって、好ましくは条件式（１６ａ）、更に好ましくは条件式（１６ｂ）を満たすことにより、上記効果をより一層大きくすることができる。【００６４】
請求項２０に記載の撮像レンズは、請求項１７〜１９のいずれかに記載の発明において、以下の条件式（１７）を満足することを特徴とする。
−２５＜ｆ２／ｆ４＜−３  …（１７）
ただし、
ｆ２：第２レンズの焦点距離
ｆ４：第４レンズの焦点距離【００６５】
条件式（１７）は、第２レンズのパワーと第４レンズのパワーを規定するものである。条件式（１７）の値が下限を上回ると、第２レンズのパワーを適度に維持でき、第２レンズで光束を十分に発散させることができる。このため、第４レンズでそれぞれの光束の画角に応じたパワーを作用させることができ、像面湾曲を良好に補正できる。条件式（１７）の値が上限を下回ると、第２レンズのパワーが強くなりすぎず、第２レンズで発生するコマ収差を良好に補正することができる。【００６６】
以下の条件式（１７ａ）を満足することが更に望ましい。
−２０＜ｆ２／ｆ４＜−３  …（１７ａ）
この条件式（１７ａ）は、前記条件式（１７）が規定している条件範囲のなかでも、前記観点等に基づいた更に好ましい条件範囲を規定している。したがって、好ましくは条件式（１７ａ）を満たすことにより、上記効果をより一層大きくすることができる。【００６７】
請求項２１に記載の撮像レンズは、請求項１７〜２０のいずれかに記載の発明において、前記第１レンズの像側面が負のパワーを有することを特徴とする。第１レンズの像側面を負のパワーとすることにより、第１レンズの像側面に発散作用を持たせることができるため、全長を短くしつつコマ収差が少ないレンズを実現することができる。【００６８】
請求項２２に記載の撮像レンズは、請求項１７〜２１のいずれかに記載の発明において、以下の条件式（１８）を満足することを特徴とする。
２０＜ν１−ν２＜７０  …（１８）
ただし、
ν１：第１レンズのアッベ数
ν２：第２レンズのアッベ数【００６９】
条件式（１８）は、撮像レンズ全系の色収差を良好に補正する上で好ましい条件範囲を規定している。条件式（１８）の値が下限を上回ることで、軸上色収差や倍率色収差等の色収差をバランス良く補正することができる。一方、条件式（１８）の値が上限を下回ることで、入手しやすい硝材で構成することができる。【００７０】
以下の条件式（１８ａ）を満足することが更に望ましい。
２５＜ν１−ν２＜６５  …（１８ａ）
この条件式（１８ａ）は、前記条件式（１８）が規定している条件範囲のなかでも、前記観点等に基づいた更に好ましい条件範囲を規定している。したがって、好ましくは条件式（１８ａ）を満たすことにより、上記効果をより一層大きくすることができる。【００７１】
請求項２３に記載の撮像レンズは、請求項１７〜２２のいずれかに記載の発明において、以下の条件式（１９）を満足することを特徴とする。
１．６０＜ｎ２＜２．１０  …（１９）
ただし、
ｎ２：第２レンズのｄ線に対する屈折率【００７２】
条件式（１９）は、撮像レンズ全系の色収差，像面湾曲を良好に補正する上で好ましい条件範囲を規定している。条件式（１９）の値が下限を上回ることで、比較的分散の大きな第２レンズの屈折力を適度に維持することができ、色収差や像面湾曲を良好に補正することができる。一方、条件式（１９）の値が上限を下回ることで、入手しやすい硝材で構成することが可能となる。【００７３】
以下の条件式（１９ａ）を満足することが更に望ましい。
１．６０＜ｎ２＜２．００  …（１９ａ）
この条件式（１９ａ）は、前記条件式（１９）が規定している条件範囲のなかでも、前記観点等に基づいた更に好ましい条件範囲を規定している。したがって、好ましくは条件式（１９ａ）を満たすことにより、上記効果をより一層大きくすることができる。【００７４】
請求項２４に記載の撮像レンズは、請求項１７〜２３のいずれかに記載の発明において、前記第４レンズの最周辺部は、光線を上方へ跳ね上げる発散作用を有することを特徴とする。第４レンズの最周辺部が発散作用を有することで、第４レンズの中心付近は正の屈折力を有し撮像レンズの広角化に適した構成としつつ、周辺光束に対しては第２レンズの発散作用を分担することができるので、周辺光のコマ収差，歪曲収差，倍率色収差等の補正を行いながらも広角な撮像レンズを実現することができる。【００７５】
請求項２５に記載の撮像レンズは、請求項１７〜２４のいずれかに記載の発明において、前記第２レンズの像側面は、光軸との交点から周辺部に移動するに従って、負のパワーが強くなることを特徴とする。第２レンズの像側面の形状を、周辺部に行くに従って負のパワーが強くなる形状とすることにより、全長短縮に伴う軸上画角と周辺画角での光路差による像面面湾曲が良好に補正された撮像レンズを実現することができる。【００７６】
開口絞りは、撮像レンズにおいて最も物体側に位置することが望ましい。開口絞りを撮像レンズ系の最も物体側に配置することにより、入射瞳と撮像面との距離が近づきすぎず、良好なテレセントリック性能を実現することが可能となる。【００７７】
レンズは全てプラスチック材料で形成されていることが望ましい。つまり、撮像レンズはレンズとしてプラスチックレンズのみを有することが望ましい。近年では、固体撮像素子を含む撮像光学装置全体の小型化を目的とし、同じ画素数の固体撮像素子であっても、画素ピッチが小さく、結果として撮像面サイズの小さいものが開発されている。このような撮像面サイズの小さい固体撮像素子向けの撮像レンズは、全系の焦点距離を比較的に短くする必要があるため、各レンズの曲率半径や外径がかなり小さくなってしまう。したがって、手間のかかる研磨加工により製造するガラスレンズと比較すれば、全てのレンズを、射出成形により製造されるプラスチックレンズで構成することにより、曲率半径や外径の小さなレンズであっても安価に大量生産が可能となる。また、プラスチックレンズはプレス温度を低くできることから、成形金型の損耗を抑えることができ、その結果、成形金型の交換回数やメンテナンス回数を減少させ、コスト低減を図ることができる。【００７８】
請求項２６に記載の撮像装置は、請求項１７〜２５のいずれかに記載の撮像レンズと、撮像面上に形成された光学像を電気的な信号に変換する撮像素子と、を備え、前記撮像素子の撮像面上に被写体の光学像が形成されるように前記撮像レンズが設けられていることを特徴とする。【００７９】
請求項２７に記載のデジタル機器は、請求項２６に記載の撮像装置を備えることにより、被写体の静止画撮影，動画撮影のうちの少なくとも一方の機能が付加されたことを特徴とする。【００８０】
請求項２８に記載のデジタル機器は、請求項２７に記載の発明において、携帯端末であることを特徴とする。【００８１】
なお、上記の条件式は、それぞれ単独でそれぞれ上述の効果を有するものである。【００８２】
本発明に係る撮像レンズは、画像入力機能付きデジタル機器（例えば携帯端末）用の撮像レンズとしての使用に適しており、これを撮像素子等と組み合わせることにより、被写体の映像を光学的に取り込んで電気的な信号として出力する撮像装置を構成することができる。撮像装置は、被写体の静止画撮影や動画撮影に用いられるカメラの主たる構成要素を成す光学装置であり、例えば、物体（すなわち被写体）側から順に、物体の光学像を形成する撮像レンズと、その撮像レンズにより形成された光学像を電気的な信号に変換する撮像素子と、を備えることにより構成される。そして、撮像素子の受光面（すなわち撮像面）上に被写体の光学像が形成されるように、前述した特徴的構成を有する撮像レンズが配置されることにより、小型・低コストで高い性能を有する撮像装置やそれを備えたデジタル機器を実現することができる。【００８３】
画像入力機能付きデジタル機器の例としては、デジタルカメラ，ビデオカメラ，監視カメラ，車載カメラ，テレビ電話用カメラ等のカメラが挙げられ、また、パーソナルコンピュータ，携帯端末（例えば、携帯電話，モバイルコンピュータ等の小型で携帯可能な情報機器端末），これらの周辺機器（スキャナー，プリンター等），その他のデジタル機器等に内蔵又は外付けされるカメラが挙げられる。これらの例から分かるように、撮像装置を用いることによりカメラを構成することができるだけでなく、各種機器に撮像装置を搭載することによりカメラ機能を付加することが可能である。例えば、カメラ付き携帯電話等の画像入力機能付きデジタル機器を構成することが可能である。
【発明の効果】
【００８４】
本発明によれば、小型でありながらも、諸収差が良好に補正された、広角でＦ値の明るい５枚構成の撮像レンズ及びそれを用いた撮像装置並びに携帯端末を提供することができる。【００８５】
また、本発明に係る撮像装置を携帯電話，携帯情報端末等のデジタル機器に用いることによって、デジタル機器に対し高性能の画像入力機能をコンパクトに付加することが可能となる。
【図面の簡単な説明】
【００８６】
【図１】本実施の形態にかかる撮像ユニット５０の斜視図である。
【図２】撮像ユニット５０の撮像光学系の光軸に沿った断面を模式的に示した図である。
【図３】撮像ユニットを適用した携帯端末（スマートフォン）の正面図（ａ）、及び撮像ユニットを適用した携帯端末（スマートフォン）の背面図（ｂ）である。
【図４】図３のスマートフォンの制御ブロック図である。
【図５】実施例１の撮像レンズの光軸方向断面図である。
【図６】実施例１の収差図（球面収差（ａ）、非点収差（ｂ）、歪曲収差（ｃ）、メリディオナルコマ収差（ｄ））である。
【図７】実施例２の撮像レンズの光軸方向断面図である。
【図８】実施例２の収差図（球面収差（ａ）、非点収差（ｂ）、歪曲収差（ｃ）、メリディオナルコマ収差（ｄ））である。
【図９】実施例３の撮像レンズの光軸方向断面図である。
【図１０】実施例３の収差図（球面収差（ａ）、非点収差（ｂ）、歪曲収差（ｃ）、メリディオナルコマ収差（ｄ））である。
【図１１】実施例４の撮像レンズの光軸方向断面図である。
【図１２】実施例４の収差図（球面収差（ａ）、非点収差（ｂ）、歪曲収差（ｃ）、メリディオナルコマ収差（ｄ））である。
【図１３】実施例５の撮像レンズの光軸方向断面図である。
【図１４】実施例５の収差図（球面収差（ａ）、非点収差（ｂ）、歪曲収差（ｃ）、メリディオナルコマ収差（ｄ））である。
【図１５】実施例６の撮像レンズの光軸方向断面図である。
【図１６】実施例６の収差図（球面収差（ａ）、非点収差（ｂ）、歪曲収差（ｃ）、メリディオナルコマ収差（ｄ））である。
【図１７】実施例７の撮像レンズの光軸方向断面図である。
【図１８】実施例７の収差図（球面収差（ａ）、非点収差（ｂ）、歪曲収差（ｃ）、メリディオナルコマ収差（ｄ））である。
【図１９】実施例８の撮像レンズの光軸方向断面図である。
【図２０】実施例８の収差図（球面収差（ａ）、非点収差（ｂ）、歪曲収差（ｃ）、メリディオナルコマ収差（ｄ））である。
【発明を実施するための形態】
【００８７】
以下、本発明の実施の形態を図面を参照して説明する。
【００８８】
図１は、撮像ユニット５０の斜視図であり、図２は、撮像ユニット５０の撮像光学系の光軸に沿った断面を模式的に示した図である。
【００８９】
図１，図２に示すように、撮像装置である撮像ユニット５０は、光電変換部５１ａを有する固体撮像素子としてのＣＭＯＳ型撮像素子５１と、この撮像素子５１の光電変換部５１ａに被写体像を撮像させる撮像レンズ１０と、撮像素子５１を保持すると共にその電気信号の送受を行う外部接続用端子（外部接続端子ともいう）５４に接続された基板５２と、物体側からの光入射用の開口部を有し遮光部材からなる鏡筒としての筐体５３とを備え、これらが一体的に形成されている。
【００９０】
図２に示すように、撮像素子５１は、その受光側の平面の中央部に、画素（光電変換素子）が２次元的に配置された、受光部としての光電変換部５１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、撮像素子５１の受光側の平面の外縁近傍には、多数のパッド（図示略）が配置されており、ワイヤ（不図示）を介して基板５２に接続されている。撮像素子５１は、光電変換部５１ａからの信号電荷をデジタルＹＵＶ信号等の画像信号等に変換し、ワイヤを介して基板５２上の所定の回路に出力する。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。
【００９１】
基板５２は、その上面上で撮像素子５１及び筐体５３を支持する支持平板５２ａと、支持平板５２ａの下面（撮像素子５１と反対側の面）にその一端部が接続されたフレキシブル基板５２ｂとを備えている。
【００９２】
図示していないが、支持平板５２ａは多数の信号伝達用パッドを有しており、不図示の配線を介して撮像素子５１と接続されている。
【００９３】
図１において、フレキシブル基板５２ｂは、上記の如くその一端部が支持平板５２ａと接続され、その他端部に設けられた外部接続端子５４を介して支持平板５２ａと外部回路（例えば、撮像ユニットを実装した上位装置が有する制御回路）とを接続し、外部回路から撮像素子５１を駆動するための電圧やクロック信号の供給を受けたり、また、デジタルＹＵＶ信号を外部回路ヘ出力したりすることを可能とする。さらに、フレキシブル基板５２ｂの長手方向の中間部が可撓性又は変形性を備え、その変形により、支持平板５２ａに対して外部接続端子５４の向きや配置に自由度を与えている。
【００９４】
図２において、筐体５３は、基板５２の支持平板５２ａにおける撮像素子５１が設けられた面上に、撮像素子５１を覆うようにして固定配置されている。即ち、筐体５３は、撮像素子５１側の部分が撮像素子５１を囲むように広く開口されると共に、他端部（物体側端部）が小開口を有するフランジ部５３ａを形成しており、支持平板５２ａ上に撮像素子５１側の端部（像側端部）が当接固定されている。なお、筐体５３の撮像素子５１側の端部が、撮像素子５１上における光電変換部５１ａの周囲に当接固定されていても良い。
【００９５】
小開口（光入射用の開口部）が設けられたフランジ部５３ａを物体側に向けて配置された筐体５３の内部において、撮像レンズ１０と撮像素子５１との間に、ＩＲ（赤外線）カットフィルタＦが固定配置されている。
【００９６】
撮像レンズ１０は、物体側より順に、第１レンズＬ１、第２レンズＬ２、第３レンズＬ３、第４レンズＬ４、第５レンズＬ５からなる。レンズＬ１〜Ｌ５の間にはスペーサＳＰが設けられ、レンズ間距離を維持している。但し、レンズＬ１〜Ｌ５のフランジ形状を調整して、フランジ部同士を当接させても良い。
レンズＬ１〜Ｌ５は全てプラスチック製であると好ましい。なお、図１、２では上側を物体側、下側を像側としている。
【００９７】
図示は省略するが、第１レンズＬ１よりもさらに物体側に、外部からの不要光の入射をできるだけ少なくするための外部遮光マスクが設けられていても良い。又、開口絞りＳは、撮像レンズ全系のＦナンバーを決定する部材である。ＩＲカットフィルタＦは、例えば、略矩形状や円形状に形成された部材である。第５レンズＬ５とＩＲカットフィルタＦとの間、及びＩＲカットフィルタＦと支持平板５２ａとの間にもスペーサＳＰが配置されている。
【００９８】
上述した撮像ユニット５０の動作について説明する。図３（ａ）（ｂ）は、撮像ユニット５０をデジタル機器である携帯端末の一例としてのスマートフォン１００に装備した状態を示す。また、図４はスマートフォン１００の制御ブロック図である。
【００９９】
撮像ユニット５０は、例えば、筐体５３の物体側端面がスマートフォン１００の背面（図３（ｂ）参照）に設けられ、液晶表示部の下方に相当する位置に配設される。
【０１００】
撮像ユニット５０の外部接続端子５４（図４では矢印）は、スマートフォン１００の制御部１０１と接続され、輝度信号や色差信号等の画像信号を制御部１０１側に出力する。
【０１０１】
一方、スマートフォン１００は、図４に示すように、各部を統括的に制御すると共に、各処理に応じたプログラムを実行する制御部（ＣＰＵ）１０１と、番号等をキーにより指示入力するための入力部６０と、所定のデータの他に撮像した映像等を表示する液晶表示部７０と、外部サーバとの間の各種情報通信を実現するための無線通信部８０と、スマートフォン１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像ユニット５０により得られた撮像データ等を一時的に格納する作業領域として用いられる及び一時記憶部（ＲＡＭ）９２とを備えている。
【０１０２】
スマートフォン１００は、入力部６０の操作によって動作し、タッチパネルにもなっている液晶表示部７０に表示されたアイコン７１等をタッチすることで、撮像ユニット５０を動作させて撮像を行うことができる。撮像ユニット５０から入力された画像信号は、上記スマートフォン１００の制御系により、記憶部９２に記憶されたり、或いはタッチパネル７０で表示され、さらには、無線通信部８０を介して映像情報として外部に送信される。
［実施例］
【０１０３】
以下、本発明の撮像レンズの実施例を示す。各実施例に使用する記号は下記の通りである。
ｆ：撮像レンズ全系の焦点距離
ｆＢ：バックフォーカス
Ｆ：Ｆナンバー
２Ｙ：固体撮像素子の撮像面対角線長
ENTP：入射瞳位置（第１面から入射瞳位置までの距離）
EXTP：射出瞳位置（撮像面から射出瞳位置までの距離）
H1：前側主点位置（第１面から前側主点位置までの距離）
H2：後側主点位置（最終面から後側主点位置までの距離）
Ｒ：曲率半径
Ｄ：軸上面間隔
Ｎｄ：レンズ材料のｄ線に対する屈折率
νｄ：レンズ材料のアッベ数
【０１０４】
各実施例において、各面番号の後に「＊」が記載されている面が非球面形状を有する面であり、非球面の形状は、面の頂点を原点とし、光軸方向にＸ軸をとり、光軸と垂直方向の高さをｈとして以下の「数１」で表す。
【０１０５】
【数１】
2013039035.tif 000003
ただし、
Ａｉ：ｉ次の非球面係数
Ｒ  ：曲率半径
Ｋ  ：円錐定数
【０１０６】
（実施例１）
実施例１のレンズデータを表１に示す。なお、これ以降（表のレンズデータを含む）において、１０のべき乗数（たとえば２．５×１０-02）をＥ（たとえば２．５Ｅ−０２）を用いて表すものとする。
【０１０７】
［表１］
実施例1          
f=2.69mm    fB=0.31mm    F=2.07      2Y=5.744mm
ENTP=0mm    EXTP=-1.75mm    H1=-0.83mm    H2=-2.38mm
面番号 R(mm)   D(mm)     Nd       νd     有効半径(mm)
1(絞り)∞       -0.12                       0.65
2*    1.274     0.35    1.54470     56.2    0.68 
3*    3.062     0.19                        0.70
4*    4.790     0.15    1.63470     23.9    0.72 
5*    2.497     0.17                        0.77 
6*    5.798     0.33    1.54470     56.2    0.94 
7*    -15.626   0.49                        1.02 
8*    -29.375   0.49    1.54470     56.2    1.27 
9*    -0.874    0.33                        1.51 
10*    -1.771    0.20    1.54470     56.2    2.36 
11*    1.255     0.32                        2.55 
12     ∞        0.11    1.51630     64.1    3.00 
13     ∞                                    3.00 
非球面係数
第2面                                第7面
K=0.19309E+00                         K=0.00000E+00
A4=0.22473E-02                        A4=-0.12855E+00
A6=0.29308E-01                        A6=-0.24363E-01
A8=-0.59255E-01                       A8=0.14617E-01
A10=0.73327E-01                       A10=-0.17634E-02
A12=-0.32043E-01                      A12=-0.17789E-01
A14=-0.35381E+00                      A14=0.43706E-01
第3面                                第8面
K=-0.34396E+01                        K=0.30000E+02
A4=-0.61510E-01                       A4=-0.12668E+00
A6=0.72211E-01                        A6=0.56584E-01
A8=-0.41194E+00                       A8=-0.35411E-01
A10=0.11836E+00                       A10=-0.75902E-02
A12=-0.18779E+00                      A12=0.19834E-02
A14=0.53324E-01                       A14=0.28411E-03
第4面                                第9面
K=-0.30000E+02                        K=-0.34375E+01
A4=-0.36316E+00                       A4=-0.10516E+00
A6=0.23409E+00                        A6=0.74277E-01
A8=-0.45948E+00                       A8=-0.43961E-02
A10=-0.22372E-01                      A10=-0.21819E-02
A12=0.25067E+00                       A12=-0.11086E-02
A14=0.86649E+00                       A14=0.23261E-03
第5面                                第10面
K=-0.30000E+02                        K=-0.10249E+02
A4=-0.11639E+00                       A4=-0.74158E-01
A6=0.16202E+00                        A6=0.29908E-01
A8=-0.35757E-01                       A8=-0.14096E-02
A10=0.10245E+00                       A10=-0.98587E-03
A12=0.67246E-01                       A12=0.18415E-03
A14=0.32696E+00                       A14=-0.98981E-05
第6面                                第11面
K=0.28351E+02                         K=-0.94701E+01
A4=-0.17336E+00                       A4=-0.62588E-01
A6=0.68158E-01                        A6=0.22518E-01
A8=0.62433E-01                        A8=-0.56522E-02
A10=-0.11958E+00                      A10=0.56121E-03
A12=0.10039E+00                       A12=-0.10238E-04
A14=-0.26240E-01                      A14=-0.69093E-06
単レンズデータ
レンズ 始面    焦点距離(mm)
1      2       3.746 
2      4       -8.434 
3      6       7.806 
4      8       1.643 
5      10      -1.318
【０１０８】
図５は実施例１のレンズの断面図である。図中L1は正の屈折力を有した第１レンズ、L2は負の屈折力を有した第２レンズ、L3は少なくとも片面に非球面形状を有する第３レンズ、L4は正の屈折力を有した第４レンズ、L5は負の屈折力を有した第５レンズ、Sは開口絞り、Iは撮像面を示す。また、Ｆは光学的ローパスフィルタやＩＲカットフィルタ、固体撮像素子のシールガラス等を想定した平行平板である。図６は、実施例１の収差図（球面収差（ａ）、非点収差（ｂ）、歪曲収差（ｃ）、メリディオナルコマ収差（ｄ））である。尚、以降の収差図において、球面収差図では、実線がｄ線、点線がｇ線を表し、非点収差図では、実線Ｓがｄ線に対するサジタル像面、点線Ｍがｄ線に対するメリジオナル像面を表し、歪曲収差図では、ｄ線に対する歪曲を表している。近軸の面形状で各レンズを見た場合、第１レンズＬ１は物体側に凸のメニスカス形状であり、第２レンズＬ２は像側に凹のメニスカス形状であり、第３レンズＬ３は両凸形状であり、第４レンズＬ４は像側に凸のメニスカス形状であり、第５レンズＬ５は両凹形状である。本実施例において、全てのレンズはプラスチック材料から形成されており、第５レンズＬ５の像側面は非球面形状であり、光軸との交点以外の位置に変曲点を有する。第３レンズＬ３は正の屈折力を有すると好ましい。
【０１０９】
（実施例２）
実施例２の撮像レンズのレンズデータを、表２に示す。
【０１１０】
［表２］
実施例2          
f=3.06mm    fB=0.3mm    F=2.11      2Y=5.842mm
ENTP=0.41mm    EXTP=-1.58mm    H1=-1.5mm    H2=-2.76mm
面番号  R(mm)   D(mm)    Nd         νd    有効半径(mm)
1*     1.430    0.48    1.53050      55.7    0.87 
2*     5.276    0.04                         0.72 
3(絞り) ∞      0.07                         0.67 
4*    -5.616    0.15    1.63470      23.9    0.80 
5*   -257.073   0.29                         0.85
6*    5.780     0.29    1.54470      56.2    0.92 
7*     ∞       0.60                         1.03 
8*    21.421    0.67    1.54470      56.2    1.50 
9*    -1.192    0.43                         1.57 
10*    -1.306    0.20    1.54470      56.2    2.10 
11*     1.942    0.22                         2.65 
12      ∞       0.11    1.51630      64.1    2.88 
13      ∞                                    2.91
非球面係数
第1面                                第7面
K=-0.28270E+00                        K=0.00000E+00
A4=-0.59882E-02                       A4=-0.16456E+00
A6=0.48359E-01                        A6=-0.28190E-01
A8=-0.20105E+00                       A8=0.87892E-03
A10=0.15775E+00                       A10=-0.31359E-01
A12=0.15089E-01
A14=-0.18034E+00
第2面                                第8面
K=-0.11549E+02                        K=0.21690E+02
A4=-0.12756E+00                       A4=-0.59475E-01
A6=0.30794E-01                        A6=-0.32895E-01
A8=-0.11673E+00                       A8=0.32869E-01
A10=0.32402E+00                       A10=-0.36618E-01
A12=-0.33662E+00                      A12=0.12717E-01
A14=-0.13019E+00                      A14=-0.16040E-02
第4面                                第9面
K=0.28127E+02                         K=-0.57366E+01
A4=-0.10014E+00                       A4=-0.16607E+00
A6=0.67757E+00                        A6=0.97147E-01
A8=-0.59649E+00                       A8=-0.42192E-01
A10=0.13852E+00                       A10=0.40792E-02
A12=0.24086E+00                       A12=0.26310E-02
A14=-0.45425E+00                      A14=-0.54658E-03
第5面                                第10面
K=0.30000E+02                         K=-0.13746E+01
A4=-0.22861E-01                       A4=-0.62379E-01
A6=0.62723E+00                        A6=0.37886E-01
A8=-0.19049E+00                       A8=-0.19701E-02
A10=-0.36436E+00                      A10=-0.11630E-02
A12=-0.27623E+00                      A12=0.17936E-03
A14=0.69293E+00                       A14=-0.62179E-05
第6面                                第11面
K=0.26139E+02                         K=-0.30000E+02
A4=-0.22902E+00                       A4=-0.40572E-01
A6=0.48505E-01                        A6=0.16831E-01
A8=-0.72956E-01                       A8=-0.45702E-02
A10=-0.85241E-02                      A10=0.58626E-03
A12=-0.27649E-04
A14=-0.72080E-07
単レンズデータ
レンズ 始面    焦点距離(mm)
1      1       3.546 
2      4       -9.047
3      6       10.611
4      8       2.096 
5      10      -1.403 
【０１１１】
図７は実施例２のレンズの断面図である。図中L1は正の屈折力を有した第１レンズ、L2は負の屈折力を有した第２レンズ、L3は少なくとも片面に非球面形状を有する第３レンズ、L4は正の屈折力を有した第４レンズ、L5は負の屈折力を有した第５レンズ、Sは開口絞り、Iは撮像面を示す。また、Ｆは光学的ローパスフィルタやＩＲカットフィルタ、固体撮像素子のシールガラス等を想定した平行平板である。図８は、実施例２の収差図（球面収差（ａ）、非点収差（ｂ）、歪曲収差（ｃ）、メリディオナルコマ収差（ｄ））である。近軸の面形状で各レンズを見た場合、第１レンズＬ１は物体側に凸のメニスカス形状であり、第２レンズＬ２は物体側に凹のメニスカス形状であり、第３レンズＬ３は物体側に凸面を向けた平凸形状であり、第４レンズＬ４は両凸形状であり、第５レンズＬ５は両凹形状である。本実施例において、全てのレンズはプラスチック材料から形成されており、第５レンズL5の像側面は非球面形状であり、光軸との交点以外の位置に変曲点を有する。第３レンズＬ３は正の屈折力を有すると好ましい。
【０１１２】
（実施例３）
実施例３の撮像レンズのレンズデータを、表３に示す。
【０１１３】
［表３］
実施例3
f=2.72mm    fB=0.34mm    F=2.07      2Y=5.842mm
ENTP=0mm    EXTP=-1.6mm    H1=-1.09mm    H2=-2.38mm
面番号  R(mm)    D(mm)   Nd         νd     有効半径(mm)
1(絞り)∞       -0.13                         0.65 
2*     1.209    0.37    1.54470      56.2     0.66 
3*     2.356    0.15                          0.67 
4*     2.717    0.10    1.63200      23.4     0.68 
5*     2.379    0.22                          0.71 
6*     6.825    0.29    1.54470      56.2     0.88 
7*     ∞       0.39                          0.95
8*     -5.889   0.41    1.54470      56.2     1.08 
9*     -0.985   0.44                          1.35 
10*     -1.935   0.29    1.54470      56.2     1.92 
11*     1.670    0.23                          2.31
12      ∞       0.11    1.51630      64.1     3.00 
13      ∞                                     3.00
非球面係数
第2面                                第7面
K=0.14226E+00                         K=0.00000E+00
A4=-0.90866E-02                       A4=-0.19764E+00
A6=0.44884E-01                        A6=-0.74046E-01
A8=-0.58034E-01                       A8=0.42276E-02
A10=0.42599E-01                       A10=-0.27649E-01
A12=-0.11560E-01                      A12=-0.45738E-01
A14=-0.28356E+00                      A14=0.91413E-01
第3面                                第8面
K=-0.29007E+01                        K=0.76458E+01
A4=-0.57434E-01                       A4=-0.80417E-01
A6=0.13637E+00                        A6=-0.10934E-01
A8=-0.60899E+00                       A8=-0.44997E-01
A10=0.23335E+00                       A10=-0.12940E-01
A12=0.61729E-02                       A12=-0.69681E-02
A14=0.78308E-01                       A14=-0.13556E-01
第4面                                第9面
K=-0.28975E+02                        K=-0.30400E+01
A4=-0.23625E+00                       A4=-0.92973E-01
A6=0.28649E+00                        A6=0.69451E-01
A8=-0.58872E+00                       A8=-0.36123E-02
A10=-0.99998E-02                      A10=0.10313E-03
A12=0.24817E+00                       A12=-0.13341E-02
A14=0.12556E+01                       A14=-0.28231E-03
第5面                                第10面
K=-0.30000E+02                        K=-0.31713E+01
A4=-0.81800E-01                       A4=-0.78361E-01
A6=0.24363E+00                        A6=0.34428E-01
A8=-0.37709E-02                       A8=-0.10727E-02
A10=0.14939E+00                       A10=-0.12350E-02
A12=0.13676E+00                       A12=0.18923E-03
A14=0.46749E+00                       A14=-0.86914E-05
第6面                                第11面
K=-0.30000E+02                        K=-0.14858E+02
A4=-0.22479E+00                       A4=-0.67131E-01
A6=0.60326E-01                        A6=0.22156E-01
A8=0.11690E+00                        A8=-0.55104E-02
A10=-0.66644E-01                      A10=0.55303E-03
A12=0.14491E+00                       A12=-0.22437E-04
A14=-0.11851E+00                      A14=0.10381E-05
単レンズデータ
レンズ  始面   焦点距離(mm)
1       2      4.096 
2       4      -34.130 
3       6      12.529 
4       8      2.110 
5       10     -1.601 
【０１１４】
図９は実施例３のレンズの断面図である。図中L1は正の屈折力を有した第１レンズ、L2は負の屈折力を有した第２レンズ、L3は少なくとも片面に非球面形状を有する第３レンズ、L4は正の屈折力を有した第４レンズ、L5は負の屈折力を有した第５レンズ、Sは開口絞り、Iは撮像面を示す。また、Ｆは光学的ローパスフィルタやＩＲカットフィルタ、固体撮像素子のシールガラス等を想定した平行平板である。図１０は、実施例３の収差図（球面収差（ａ）、非点収差（ｂ）、歪曲収差（ｃ）、メリディオナルコマ収差（ｄ））である。近軸の面形状で各レンズを見た場合、第１レンズＬ１は物体側に凸のメニスカス形状であり、第２レンズＬ２は像側に凹のメニスカス形状であり、第３レンズＬ３は物体側に凸面を向けた平凸形状であり、第４レンズＬ４は像側に凸のメニスカス形状であり、第５レンズＬ５は両凹形状である。本実施例において、全てのレンズはプラスチック材料から形成されており、第５レンズL5の像側面は非球面形状であり、光軸との交点以外の位置に変曲点を有する。第３レンズＬ３は正の屈折力を有すると好ましい。
【０１１５】
（実施例４）
実施例４の撮像レンズのレンズデータを、表４に示す。
【０１１６】
［表４］
実施例4          
f=3.00mm    fB=0.33mm    F=2.07      2Y=5.842mm
ENTP=0mm    EXTP=-1.73mm    H1=-1.36mm    H2=-2.67mm
面番号  R(mm)    D(mm)    Nd         νd     有効半径(mm)
1(絞り)∞       -0.16                         0.72 
2*    1.299      0.42    1.54470       56.2   0.73 
3*    3.144      0.12                         0.72 
4*    2.311      0.10    1.63200       23.4   0.72 
5*    1.754      0.31                         0.74 
6*    7.296      0.36    1.54470       56.2   1.01 
7*    ∞         0.43                         1.09 
8*    -8.843     0.46    1.54470       56.2   1.23 
9*    -1.111     0.46                         1.49 
10*    -1.956     0.35    1.54470       56.2   2.10 
11*    1.854      0.24                         2.44 
12      ∞        0.11    1.51630       64.1   3.00 
13      ∞                                     3.00 
非球面係数
第2面                                第7面
K=0.18312E+00                         K=0.00000E+00
A4=-0.33301E-02                       A4=-0.11372E+00
A6=0.48199E-01                        A6=-0.53608E-01
A8=-0.54148E-01                       A8=0.22208E-01
A10=0.33117E-01                       A10=-0.61424E-02
A12=0.29551E-02                       A12=-0.32273E-01
A14=-0.71709E-01                      A14=0.38925E-01
第3面                                第8面
K=-0.13502E+02                        K=0.27115E+02
A4=-0.69421E-01                       A4=-0.53709E-01
A6=0.20860E+00                        A6=0.12296E-01
A8=-0.49218E+00                       A8=-0.24448E-01
A10=0.28850E+00                       A10=-0.10392E-01
A12=-0.15799E+00                      A12=0.19262E-02
A14=0.78309E-01                       A14=-0.15043E-02
第4面                                第9面
K=-0.30000E+02                        K=-0.31690E+01
A4=-0.21043E+00                       A4=-0.68196E-01
A6=0.33664E+00                        A6=0.52455E-01
A8=-0.49286E+00                       A8=-0.76721E-02
A10=0.40548E-01                       A10=0.38206E-03
A12=-0.13711E-01                      A12=-0.76083E-03
A14=0.40709E+00                       A14=0.76955E-04
第5面                                第10面
K=-0.17451E+02                        K=-0.43907E+01
A4=-0.38955E-04                       A4=-0.84990E-01
A6=0.23609E+00                        A6=0.34018E-01
A8=-0.10635E+00                       A8=-0.10199E-02
A10=-0.34232E-02                      A10=-0.12070E-02
A12=-0.12761E-01                      A12=0.19362E-03
A14=0.33661E+00                       A14=-0.84653E-05
第6面                                第11面
K=-0.13938E+02                        K=-0.13872E+02
A4=-0.13068E+00                       A4=-0.63636E-01
A6=0.37036E-01                        A6=0.22240E-01
A8=0.71955E-01                        A8=-0.54156E-02
A10=-0.11620E+00                      A10=0.52780E-03
A12=0.13212E+00                       A12=-0.23713E-04
A14=-0.47891E-01                      A14=0.14559E-05
単レンズデータ
レンズ 始面    焦点距離(mm)
1      2       3.764 
2      4       -12.368 
3      6       13.395 
4      8       2.286 
5      10      -1.693 
【０１１７】
図１１は実施例４のレンズの断面図である。図中L1は正の屈折力を有した第１レンズ、L2は負の屈折力を有した第２レンズ、L3は少なくとも片面に非球面形状を有する第３レンズ、L4は正の屈折力を有した第４レンズ、L5は負の屈折力を有した第５レンズ、Sは開口絞り、Iは撮像面を示す。また、Ｆは光学的ローパスフィルタやＩＲカットフィルタ、固体撮像素子のシールガラス等を想定した平行平板である。図１２は、実施例４の収差図（球面収差（ａ）、非点収差（ｂ）、歪曲収差（ｃ）、メリディオナルコマ収差（ｄ））である。近軸の面形状で各レンズを見た場合、第１レンズＬ１は物体側に凸のメニスカス形状であり、第２レンズＬ２は像側に凹のメニスカス形状であり、第３レンズＬ３は物体側に凸面を向けた平凸形状であり、第４レンズＬ４は像側に凸のメニスカス形状であり、第５レンズＬ５は両凹形状である。本実施例において、全てのレンズはプラスチック材料から形成されており、第５レンズL5の像側面は非球面形状であり、光軸との交点以外の位置に変曲点を有する。第３レンズＬ３は正の屈折力を有すると好ましい。
【０１１８】
（実施例５）
実施例５の撮像レンズのレンズデータを、表５に示す。
【０１１９】
［表５］
実施例5
f=2.59mm    fB=0.25mm    F=2.00      2Y=5.744mm
ENTP=0.4mm    EXTP=-1.4mm    H1=-1.07mm    H2=-2.34mm    
面番号 R(mm)     D(mm)    Nd        νd     有効半径(mm)
1*    1.105     0.46    1.48700      70.2      0.77 
2*    4.364     0.03                           0.62 
3(絞り)∞       0.06                           0.57 
4*    -9.075    0.13    1.84700      23.8      0.62 
5*   -321.421   0.18                           0.60 
6*    6.484     0.23    1.75680      50.2      0.84 
7*    ∞        0.59                           0.91
8*    -3.522    0.40    1.83400      37.2      1.13
9*    -1.259    0.35                           1.35 
10*    -2.127    0.20    1.60360      41.7      1.58 
11*    1.574     0.20                           2.12
12     ∞        0.11    1.51630      64.1      3.20 
13     ∞                                       3.20
非球面係数
第1面                                第7面
K=-0.40821E+00                        K=0.00000E+00
A4=-0.68403E-03                       A4=-0.12703E+00
A6=-0.20770E-01                       A6=0.26098E-02
A8=-0.13529E+00                       A8=-0.10814E+00
A10=-0.96080E-01                      A10=0.21787E+00
A12=-0.52468E+00
A14=0.11060E+00            
第2面                                第8面
K=0.79077E+00                         K=0.16852E+01
A4=-0.20390E+00                       A4=-0.74297E-01
A6=-0.89235E-01                       A6=0.30408E-01
A8=-0.26229E-01                       A8=-0.62619E-01
A10=0.44673E+00                       A10=-0.79770E-02
A12=-0.45744E+00                      A12=0.65056E-02
A14=-0.11664E+01                      A14=-0.13617E-01
第4面                                第9面
K=-0.27747E+02                        K=-0.49110E+01
A4=-0.59587E-01                       A4=-0.13632E+00
A6=0.88312E+00                        A6=0.79055E-01
A8=-0.32140E+00                       A8=-0.42665E-01
A10=-0.54071E+00                      A10=0.86690E-02
A12=0.19357E+00                       A12=0.29748E-02
A14=-0.44868E+00                      A14=-0.17116E-02
第5面                                第10面
K=-0.30000E+02                        K=-0.64136E+00
A4=0.45058E-01                        A4=-0.17839E+00
A6=0.10226E+01                        A6=0.40366E-01
A8=-0.10929E+00                       A8=0.72763E-02
A10=-0.10227E+01                      A10=0.88630E-04
A12=0.48394E+00                       A12=-0.41125E-04
A14=0.69756E+00                       A14=-0.15919E-03
第6面                                第11面
K=-0.68259E+01                        K=-0.16861E+02
A4=-0.17446E+00                       A4=-0.99732E-01
A6=0.73874E-01                        A6=0.39798E-01
A8=0.23675E-01                        A8=-0.11923E-01
A10=0.10847E+00                       A10=0.19810E-02
A12=-0.24674E-03
A14=0.15483E-04
単レンズデータ
レンズ 始面    焦点距離(mm)
1      1       2.903 
2      4      -11.028
3      6       8.568 
4      8       2.176 
5      10     -1.469 
【０１２０】
図１３は実施例５のレンズの断面図である。図中L1は正の屈折力を有した第１レンズ、L2は負の屈折力を有した第２レンズ、L3は少なくとも片面に非球面形状を有する第３レンズ、L4は正の屈折力を有した第４レンズ、L5は負の屈折力を有した第５レンズ、Sは開口絞り、Iは撮像面を示す。また、Ｆは光学的ローパスフィルタやＩＲカットフィルタ、固体撮像素子のシールガラス等を想定した平行平板である。図１４は、実施例５の収差図（球面収差（ａ）、非点収差（ｂ）、歪曲収差（ｃ）、メリディオナルコマ収差（ｄ））である。近軸の面形状で各レンズを見た場合、第１レンズＬ１は物体側に凸のメニスカス形状であり、第２レンズＬ２は物体側に凹のメニスカス形状であり、第３レンズＬ３は物体側に凸面を向けた平凸形状であり、第４レンズＬ４は像側に凸のメニスカス形状であり、第５レンズＬ５は両凹形状である。本実施例において、全てのレンズはプラスチック材料から形成されており、第５レンズL5の像側面は非球面形状であり、光軸との交点以外の位置に変曲点を有する。第３レンズＬ３は正の屈折力を有すると好ましい。
【０１２１】
（実施例６）
実施例６の撮像レンズのレンズデータを、表６に示す。
【０１２２】
［表６］
実施例6          
f=2.63mm    fB=0.26mm    F=2.00      2Y=5.842mm
ENTP=0.41mm    EXTP=-1.31mm    H1=-1.38mm    H2=-2.37mm
面番号 R(mm)    D(mm)     Nd       νd    有効半径(mm)
1*    1.090     0.46    1.49710    81.6    0.77 
2*    3.525     0.04                       0.63 
3(絞り)∞       0.06                       0.60
4*    -15.418   0.13    1.92290    20.9    0.62 
5*   -438.036   0.21                       0.62 
6*    7.545     0.23    1.69350    53.2    0.84 
7*    ∞        0.58                       0.91
8*    -3.879    0.40    1.83440    37.3    1.13
9*    -1.202    0.33                       1.36
10*    -2.256    0.20    1.73080    40.5    1.56
11*    1.601     0.20                       2.07
12     ∞        0.11    1.51630    64.1    3.20
13     ∞                                   3.20
非球面係数
第1面                                第7面
K=-0.36077E+00                        K=0.00000E+00
A4=0.14696E-01                        A4=-0.13628E+00
A6=-0.79039E-01                       A6=0.35948E-02
A8=0.33705E-01                        A8=-0.87335E-01
A10=-0.11010E+00                      A10=0.17530E+00
A12=-0.79935E+00
A14=0.34028E+00
第2面                                第8面
K=0.64303E+01                         K=0.70719E+00
A4=-0.18135E+00                       A4=-0.63257E-01
A6=-0.18079E+00                       A6=0.78000E-01
A8=-0.46709E-01                       A8=-0.13508E+00
A10=0.35848E+00                       A10=0.36408E-01
A12=0.27967E-01                       A12=-0.13429E-03
A14=-0.11664E+01                      A14=-0.14652E-01
第4面                                第9面
K=0.30000E+02                         K=-0.57530E+01
A4=-0.39369E-01                       A4=-0.13926E+00
A6=0.61134E+00                        A6=0.14734E+00
A8=0.26895E+00                        A8=-0.10044E+00
A10=-0.79799E+00                      A10=0.14933E-01
A12=0.19357E+00                       A12=0.75089E-02
A14=-0.44868E+00                      A14=-0.22119E-02
第5面                                第10面
K=0.30000E+02                         K=-0.65865E+00
A4=0.56980E-01                        A4=-0.11686E+00
A6=0.69763E+00                        A6=-0.46985E-02
A8=0.86517E+00                        A8=0.11808E-01
A10=-0.16959E+01                      A10=0.14907E-02
A12=0.48394E+00                       A12=0.39963E-05
A14=0.69756E+00                       A14=-0.21735E-03
第6面                                第11面
K=0.48293E+01                         K=-0.19644E+02
A4=-0.18112E+00                       A4=-0.11308E+00
A6=0.64146E-01                        A6=0.50606E-01
A8=0.58249E-01                        A8=-0.18041E-01
A10=0.68093E-01                       A10=0.35133E-02
A12=-0.39157E-03
A14=0.16566E-04
単レンズデータ
レンズ 始面    焦点距離(mm)
1      1       2.989 
2      4       -17.319 
3      6       10.880 
4      8       1.955 
5      10      -1.254 
【０１２３】
図１５は実施例６のレンズの断面図である。図中L1は正の屈折力を有した第１レンズ、L2は負の屈折力を有した第２レンズ、L3は少なくとも片面に非球面形状を有する第３レンズ、L4は正の屈折力を有した第４レンズ、L5は負の屈折力を有した第５レンズ、Sは開口絞り、Iは撮像面を示す。また、Ｆは光学的ローパスフィルタやＩＲカットフィルタ、固体撮像素子のシールガラス等を想定した平行平板である。図１６は、実施例６の収差図（球面収差（ａ）、非点収差（ｂ）、歪曲収差（ｃ）、メリディオナルコマ収差（ｄ））である。近軸の面形状で各レンズを見た場合、第１レンズＬ１は物体側に凸のメニスカス形状であり、第２レンズＬ２は物体側に凹のメニスカス形状であり、第３レンズＬ３は物体側に凸面を向けた平凸形状であり、第４レンズＬ４は像側に凸のメニスカス形状であり、第５レンズＬ５は両凹形状である。本実施例において、全てのレンズはプラスチック材料から形成されており、第５レンズL5の像側面は非球面形状であり、光軸との交点以外の位置に変曲点を有する。第３レンズＬ３は正の屈折力を有すると好ましい。
【０１２４】
（実施例７）
実施例７の撮像レンズのレンズデータを、表７に示す。
【０１２５】
［表７］
実施例7
f=2.73mm    fB=0.22mm    F=2.07      2Y=5.744mm
ENTP=0mm    EXTP=-2.19mm    H1=-0.36mm    H2=-2.51mm
面番号 R(mm)     D(mm)  Nd           νd     有効半径(mm)
1(絞り)∞       -0.09                           0.66
2*    1.523     0.33   1.54470       56.2       0.68 
3*    4.339     0.29                            0.72 
4*    14.522    0.26   1.63470       23.9       0.78 
5*    3.244     0.12                            0.94 
6*    6.524     0.46   1.54470       56.2       1.10 
7*    -5.408    0.46                            1.15
8*   -320.018   0.50   1.54470       56.2       1.27
9*    -0.910    0.22                            1.45
10*    -2.435    0.40   1.54470       56.2       2.03 
11*    1.220     0.46                            2.60
12     ∞        0.11   1.51630       64.1       3.00 
13     ∞                                        3.00
非球面係数
第2面                                第7面
K=0.17299E+00                         K=0.00000E+00
A4=0.39225E-03                        A4=-0.74289E-01
A6=0.72422E-02                        A6=-0.20912E-01
A8=-0.18208E-01                       A8=-0.51381E-02
A10=-0.44510E-02                      A10=-0.17240E-02
A12=-0.15918E-01                      A12=0.13156E-02
A14=-0.85866E-01                      A14=0.51936E-02
第3面                                第8面
K=-0.48969E+01                        K=-0.30000E+02
A4=-0.28715E-01                       A4=-0.12573E+00
A6=-0.71064E-02                       A6=0.48828E-02
A8=-0.79007E-01                       A8=-0.98762E-02
A10=-0.13913E-01                      A10=-0.14061E-02
A12=-0.47716E-01                      A12=-0.94013E-03
A14=-0.57043E-01                      A14=-0.19956E-02
第4面                                第9面
K=-0.30000E+02                        K=-0.33890E+01
A4=-0.20719E+00                       A4=-0.94973E-01
A6=0.13465E-01                        A6=0.21802E-01
A8=-0.10255E+00                       A8=0.29261E-02
A10=-0.39105E-01                      A10=0.79886E-03
A12=0.28575E-01                       A12=0.70437E-04
A14=0.12234E+00                       A14=-0.45104E-04
第5面                                第10面
K=-0.25540E+02                        K=-0.77286E+01
A4=-0.56793E-01                       A4=-0.25514E-01
A6=0.36521E-01                        A6=0.77578E-02
A8=-0.32611E-02                       A8=-0.14321E-03
A10=0.84707E-02                       A10=-0.80055E-04
A12=0.34368E-02                       A12=0.67604E-05
A14=0.15190E-01                       A14=-0.29033E-06
第6面                                第11面
K=0.26082E+02                         K=-0.80986E+01
A4=-0.65310E-01                       A4=-0.28302E-01
A6=0.25176E-01                        A6=0.51659E-02
A8=0.94254E-02                        A8=-0.80674E-03
A10=-0.10581E-01                      A10=0.40335E-04
A12=0.35365E-02                       A12=-0.29983E-06
A14=-0.11698E-02                      A14=0.58244E-07
単レンズデータ
レンズ 始面    焦点距離(mm)
1      2       4.138 
2      4       -6.641 
3      6       5.504 
4      8       1.675 
5      10      -1.436 
【０１２６】
図１７は実施例７のレンズの断面図である。図中L1は正の屈折力を有した第１レンズ、L2は負の屈折力を有した第２レンズ、L3は少なくとも片面に非球面形状を有する第３レンズ、L4は正の屈折力を有した第４レンズ、L5は負の屈折力を有した第５レンズ、Sは開口絞り、Iは撮像面を示す。また、Ｆは光学的ローパスフィルタやＩＲカットフィルタ、固体撮像素子のシールガラス等を想定した平行平板である。図１８は、実施例７の収差図（球面収差（ａ）、非点収差（ｂ）、歪曲収差（ｃ）、メリディオナルコマ収差（ｄ））である。近軸の面形状で各レンズを見た場合、第１レンズＬ１は物体側に凸のメニスカス形状であり、第２レンズＬ２は像側に凹のメニスカス形状であり、第３レンズＬ３は両凸形状であり、第４レンズＬ４は像側に凸のメニスカス形状であり、第５レンズＬ５は両凹形状である。本実施例において、全てのレンズはプラスチック材料から形成されており、第５レンズL5の像側面は非球面形状であり、光軸との交点以外の位置に変曲点を有する。第３レンズＬ３は正の屈折力を有すると好ましい。
【０１２７】
（実施例８）
実施例８の撮像レンズのレンズデータを、表８に示す。
【０１２８】
［表８］
実施例8          
f=2.90mm    fB=0.28mm    F=2.07      2Y=5.744mm
ENTP=0mm    EXTP=-2mm    H1=-0.8mm    H2=-2.63mm
面番号 R(mm)     D(mm)   Nd         νd     有効半径(mm)
1(絞り)∞       -0.12                        0.70
2*    1.389     0.36    1.52500     70.4     0.74 
3*    3.804     0.29                         0.77 
4*    10.449    0.22    1.63470     23.9     0.80 
5*    3.115     0.13                         0.89 
6*    4.620     0.40    1.54470     56.2     1.04 
7*    -15.607   0.50                         1.13 
8*    -16.234   0.55    1.54470     56.2     1.29 
9*    -0.657    0.14                         1.48
10*    -1.747    0.39    1.54470     56.2     2.04 
11*    0.846     0.47                         2.55 
12     ∞        0.11    1.51630     64.1     3.30 
13     ∞                                     3.30 
非球面係数
第2面                                第7面
K=0.12625E+00                         K=0.00000E+00
A4=-0.50323E-03                       A4=-0.66081E-01
A6=0.34257E-02                        A6=-0.90401E-02
A8=-0.16233E-01                       A8=0.21949E-03
A10=0.35767E-01                       A10=-0.42795E-03
A12=-0.13076E+00                      A12=-0.36104E-03
A14=-0.41376E-01                      A14=0.54328E-02
第3面                                第8面
K=-0.13674E+01                        K=-0.16650E+01
A4=-0.35923E-01                       A4=-0.12671E+00
A6=-0.25204E-01                       A6=0.36142E-01
A8=-0.79010E-01                       A8=-0.17107E-01
A10=0.18030E-01                       A10=-0.38307E-02
A12=-0.16779E+00                      A12=0.43306E-03
A14=-0.43167E-02                      A14=-0.12373E-03
第4面                                第9面
K=-0.30000E+02                        K=-0.37914E+01
A4=-0.25599E+00                       A4=-0.11711E+00
A6=0.56732E-01                        A6=0.56980E-01
A8=-0.13834E+00                       A8=-0.33947E-03
A10=-0.18581E-01                      A10=-0.10186E-02
A12=0.15969E+00                       A12=-0.36319E-03
A14=0.97365E-01                       A14=-0.54591E-04
第5面                                第10面
K=-0.28134E+02                        K=-0.23378E+02
A4=-0.11698E+00                       A4=-0.43130E-01
A6=0.53373E-01                        A6=0.12937E-01
A8=0.21489E-02                        A8=-0.28718E-03
A10=0.30889E-01                       A10=-0.20406E-03
A12=0.13678E-01                       A12=0.17341E-04
A14=0.72616E-01                       A14=-0.55975E-06
第6面                                第11面
K=0.92321E+01                         K=-0.77226E+01
A4=-0.98682E-01                       A4=-0.37707E-01
A6=0.26997E-01                        A6=0.88598E-02
A8=0.28674E-02                        A8=-0.16079E-02
A10=-0.18807E-01                      A10=0.10431E-03
A12=0.28135E-01                       A12=-0.12542E-05
A14=-0.79505E-02                      A14=0.81508E-07
単レンズデータ
レンズ 始面    焦点距離(mm)
1      2       3.965 
2      4       -7.076
3      6       6.591 
4      8       1.242 
5      10      -0.994 
【０１２９】
図１９は実施例８のレンズの断面図である。図中L1は正の屈折力を有した第１レンズ、L2は負の屈折力を有した第２レンズ、L3は少なくとも片面に非球面形状を有する第３レンズ、L4は正の屈折力を有した第４レンズ、L5は負の屈折力を有した第５レンズ、Sは開口絞り、Iは撮像面を示す。また、Ｆは光学的ローパスフィルタやＩＲカットフィルタ、固体撮像素子のシールガラス等を想定した平行平板である。図２０は、実施例８の収差図（球面収差（ａ）、非点収差（ｂ）、歪曲収差（ｃ）、メリディオナルコマ収差（ｄ））である。近軸の面形状で各レンズを見た場合、第１レンズＬ１は物体側に凸のメニスカス形状であり、第２レンズＬ２は像側に凹のメニスカス形状であり、第３レンズＬ３は両凸形状であり、第４レンズＬ４は像側に凸のメニスカス形状であり、第５レンズＬ５は両凹形状である。本実施例において、全てのレンズはプラスチック材料から形成されており、第５レンズL5の像側面は非球面形状であり、光軸との交点以外の位置に変曲点を有する。第３レンズＬ３は正の屈折力を有すると好ましい。
【０１３０】
条件式（１）〜（１２）に対応する各実施例の値を表９に示す。
【０１３１】
【表９】
2013039035.tif 000004
【０１３２】
条件式（１３）〜（１９）に対応する各実施例の値を表１０に示す。
【０１３３】
【表１０】
2013039035.tif 000005
【０１３４】
近年、撮像装置を低コストに且つ大量に実装する方法として、予め半田がポッティングされた基板に対し、ICチップその他の電子部品と光学素子とを載置したままリフロー処理（加熱処理）し、半田を溶融させることにより電子部品と光学素子とを基板に同時実装するという技術が提案されている。
【０１３５】
このようなリフロー処理を用いて実装を行うためには、電子部品と共に光学素子を約200〜260度に加熱する必要があるが、このような高温下では熱可塑性樹脂を用いたレンズでは熱変形し或いは変色して、その光学性能が低下してしまうという問題点がある。このような問題を解決するための方法のひとつとして、耐熱性能に優れたガラスモールドレンズを使用し、小型化と高温環境での光学性能を両立する技術が提案されているが、熱可塑性樹脂を用いたレンズよりもコストが高いため、撮像装置の低コスト化の要求に応えられないという問題があった。
【０１３６】
そこで、撮像レンズの材料にエネルギー硬化性樹脂を使用することで、ポリカーボネイト系やポリオレフィン系のような熱可塑性樹脂を用いたレンズに比べ、高温に曝されたときの光学性能の低下が小さいため、リフロー処理に有効であり、かつガラスモールドレンズよりも製造しやすく安価となり、撮像レンズを組み込んだ撮像装置の低コストと量産性を両立できる。なお、エネルギー硬化性樹脂とは、熱硬化性樹脂および紫外線硬化性樹脂のいずれをも指すものとする。本発明のプラスチックレンズを前述のエネルギー硬化性樹脂も用いて形成しても良い。
【０１３７】
なお、上記各実施例は、固体撮像素子の撮像面に入射する光束の主光線入射角については、撮像面周辺部において必ずしも十分小さい設計になっていない。しかし、最近の技術では、固体撮像素子の色フィルタやオンチップマイクロレンズアレイの配列の見直しによって、シェーディングを軽減することができるようになってきた。具体的には撮像素子の撮像面の画素ピッチに対し、色フィルタやオンチップマイクロレンズアレイの配列のピッチをわずかに小さく設定すれば、撮像面の周辺部にいくほど各画素に対し色フィルタやオンチップマイクロレンズアレイが撮像レンズ光軸側へシフトするため、斜入射の光束を効率的に各画素の受光部に導くことができる。これにより固体撮像素子で発生するシェーディングを小さく抑えることができる。本実施例は、前記要求が緩和された分について、より小型化を目指した設計例となっている。
【０１３８】
また、本発明は、明細書に記載の実施形態や実施例に限定されるものではなく、他の実施形態・実施例・変形例を含むことは、本明細書に記載された実施形態や実施例や技術思想から本分野の当業者にとって明らかである。例えば、実質的に屈折力を持たないダミーレンズを更に付与した場合でも本発明の適用範囲内である。
【産業上の利用可能性】
【０１３９】
本発明は、小型の携帯端末に好適な撮像レンズを提供できる。
【符号の説明】
【０１４０】
１０ 撮像レンズ
５０ 撮像ユニット
５１ 撮像素子
５１ａ 光電変換部
５２ 基板
５２ａ 支持平板
５２ｂ フレキシブル基板
５３ 筐体
５３ａ フランジ部
５４ 外部接続端子
５５ 絞り部材
６０ 入力部
７０ タッチパネル
８０ 無線通信部
９１ 記憶部
９２ 一時記憶部
１００ スマートフォン
１０１ 制御部
Ｉ 撮像面
Ｆ 平行平板
Ｌ１〜Ｌ５ 第１〜第５レンズ
Ｓ 開口絞り
【図１】
2013039035.tif 000006
【図２】
2013039035.tif 000007
【図３】
2013039035.tif 000008
【図４】
2013039035.tif 000009
【図５】
2013039035.tif 000010
【図６】
2013039035.tif 000011
【図７】
2013039035.tif 000012
【図８】
2013039035.tif 000013
【図９】
2013039035.tif 000014
【図１０】
2013039035.tif 000015
【図１１】
2013039035.tif 000016
【図１２】
2013039035.tif 000017
【図１３】
2013039035.tif 000018
【図１４】
2013039035.tif 000019
【図１５】
2013039035.tif 000020
【図１６】
2013039035.tif 000021
【図１７】
2013039035.tif 000022
【図１８】
2013039035.tif 000023
【図１９】
2013039035.tif 000024
【図２０】
2013039035.tif 000025
【国際調査報告】
2013039035.tif 000026
2013039035.tif 000027
2013039035.tif 000028
2013039035.tif 000029
2013039035.tif 000030
2013039035.tif 000031
2013039035.tif 000032
2013039035.tif 000033